(57)【要約】      （修正有）【課題】複数の消耗品の交換時期を合わせることを可能とした画像形成装置及び消耗品管理システムを提供する。【解決手段】同一又は異なる画像形成装置における複数の消耗品の交換時期を予測する予測部２０２１と、予測部によって予測された交換時期が予め定められた期間以内である交換予定消耗品に対し交換時期を一致させる他の消耗品を選択する選択部２０２２と、選択部によって選択された他の消耗品の交換時期と一致するように少なくとも交換予定消耗品の消耗度合いを調節する調節部２０２４と、を備える。【選択図】図９
2019055552.tif 000002
【特許請求の範囲】
【請求項１】
同一又は異なる画像形成装置における複数の消耗品の交換時期を予測する予測手段と、
前記予測手段によって予測された交換時期が予め定められた期間以内である交換予定消耗品に対し交換時期を一致させる他の消耗品を選択する選択手段と、
前記選択手段によって選択された前記他の消耗品の交換時期と一致するように少なくとも前記交換予定消耗品の消耗度合いを調節する調節手段と、
を備える画像形成装置。
【請求項２】
前記選択手段は、前記他の消耗品を表示する表示手段を備える請求項１に記載の画像形成装置。
【請求項３】
ユーザは、前記表示手段に前記他の消耗品が複数表示された場合、複数の前記他の消耗品からいずれか１つ以上を選択可能である請求項２に記載の画像形成装置。
【請求項４】
前記交換予定消耗品の交換時期を指定する指定手段を備える請求項１に記載の画像形成装置。
【請求項５】
前記指定手段は、指定された前記交換予定消耗品の交換時期を変更又は解除可能である請求項４に記載の画像形成装置。
【請求項６】
前記調節手段は、前記指定手段によって指定された交換時期に基づいて前記他の消耗品の消耗度合いを調節する請求項４又は５に記載の画像形成装置。
【請求項７】
前記選択手段によって選択された前記他の消耗品の消耗度合いが調節不可能な場合、前記調節手段は、前記消耗度合いが調節不可能な前記他の消耗品と交換時期が一致するように前記交換予定消耗品の消耗度合いを調節する請求項１に記載の画像形成装置。
【請求項８】
複数の消耗品を有し、ネットワークに接続された複数の画像形成装置と、
前記複数の画像形成装置における前記消耗品の交換時期を前記ネットワークを介して管理する管理サーバーと、
を備え、
前記管理サーバーは、
同一又は異なる前記画像形成装置における複数の消耗品の交換時期を予測する予測手段と、
前記予測手段によって予測された交換時期が予め定められた期間以内である交換予定消耗品に対し交換時期を一致させる他の消耗品を選択する選択手段と、
前記選択手段によって選択された前記他の消耗品の交換時期と一致するように少なくとも前記交換予定消耗品の消耗度合いを調節する調節手段と、
を有する消耗品管理システム。
【発明の詳細な説明】
【技術分野】
【０００１】
この発明は、画像形成装置及び消耗品管理システムに関する。
【背景技術】
【０００２】
従来、画像形成装置においては、消耗品の交換に関連する技術として例えば特許文献１等に開示されたものが既に提案されている。
【０００３】
特許文献１は、ネットワークに接続された画像形成装置であって、ネットワークに接続された他の画像形成装置と通信を行う通信部と、各種表示を行う表示部と、通信部を介して他の画像形成装置と通信を行い、他の画像形成装置における互換性を有する消耗品もしくは部品の使用可能量と使用頻度についての情報を取得し、補充あるいは交換の時期が近づいた消耗品もしくは部品に関して、他の画像形成装置における互換性のある消耗品もしくは部品の中で、使用可能量と使用頻度から推定される他の画像形成装置における使用可能期間が長いものを補充あるいは交換の候補として選択して表示部に表示する制御部と、備えるように構成したものである。
【先行技術文献】
【特許文献】
【０００４】
【特許文献１】特開２００９−１１１８２２号公報
【発明の概要】
【発明が解決しようとする課題】
【０００５】
この発明の目的は、複数の消耗品の交換時期を合わせることを可能とした画像形成装置及び消耗品管理システムを提供することにある。
【課題を解決するための手段】
【０００６】
請求項１に記載された発明は、同一又は異なる画像形成装置における複数の消耗品の交換時期を予測する予測手段と、
前記予測手段によって予測された交換時期が予め定められた期間以内である交換予定消耗品に対し交換時期を一致させる他の消耗品を選択する選択手段と、
前記選択手段によって選択された前記他の消耗品の交換時期と一致するように少なくとも前記交換予定消耗品の消耗度合いを調節する調節手段と、
を備える画像形成装置である。
【０００７】
請求項２に記載された発明は、前記選択手段は、前記他の消耗品を表示する表示手段を備える請求項１に記載の画像形成装置である。
【０００８】
請求項３に記載された発明は、ユーザは、前記表示手段に前記他の消耗品が複数表示された場合、複数の前記他の消耗品からいずれか１つ以上を選択可能である請求項２に記載の画像形成装置である。
【０００９】
請求項４に記載された発明は、前記交換予定消耗品の交換時期を指定する指定手段を備える請求項１に記載の画像形成装置である。
【００１０】
請求項５に記載された発明は、前記指定手段は、指定された前記交換予定消耗品の交換時期を変更又は解除可能である請求項４に記載の画像形成装置である。
【００１１】
請求項６に記載された発明は、前記調節手段は、前記指定手段によって指定された交換時期に基づいて前記他の消耗品の消耗度合いを調節する請求項４又は５に記載の画像形成装置である。
【００１２】
請求項７に記載された発明は、前記選択手段によって選択された前記他の消耗品の消耗度合いが調節不可能な場合、前記調節手段は、前記消耗度合いが調節不可能な前記他の消耗品と交換時期が一致するように前記交換予定消耗品の消耗度合いを調節する請求項１に記載の画像形成装置である。
【００１３】
請求項８に記載された発明は、複数の消耗品を有し、ネットワークに接続された複数の画像形成装置と、
前記複数の画像形成装置における前記消耗品の交換時期を前記ネットワークを介して管理する管理サーバーと、
を備え、
前記管理サーバーは、
同一又は異なる前記画像形成装置における複数の消耗品の交換時期を予測する予測手段と、
前記予測手段によって予測された交換時期が予め定められた期間以内である交換予定消耗品に対し交換時期を一致させる他の消耗品を選択する選択手段と、
前記選択手段によって選択された前記他の消耗品の交換時期と一致するように少なくとも前記交換予定消耗品の消耗度合いを調節する調節手段と、
を有する消耗品管理システムである。
【発明の効果】
【００１４】
請求項１に記載された発明によれば、複数の消耗品の交換時期を合わせることを可能とした画像形成装置を提供することができる。
【００１５】
請求項２に記載された発明によれば、前記予測手段によって予測された交換予定消耗品と交換時期が予め定められた範囲内にある他の消耗品を表示する表示手段を備えない場合に比較して、他の消耗品を容易に選択することができる。
【００１６】
請求項３に記載された発明によれば、前記選択手段は、前記表示手段に表示された消耗品から前記他の消耗品を選択しない場合に比較して、他の消耗品を容易に選択することができる。
【００１７】
請求項４に記載された発明によれば、前記交換予定消耗品の交換時期を指定する指定手段を備えない場合に比較して、交換予定消耗品の交換時期を指定することができる。
【００１８】
請求項５に記載された発明によれば、前記指定手段は、指定された前記交換予定消耗品の交換時期を変更又は解除可能でない場合に比較して、交換予定消耗品の消耗度合いの変動に対応することができる。
【００１９】
請求項６に記載された発明によれば、前記調節手段は、前記指定手段によって指定された交換時期に基づいて前記他の消耗品の消耗度合いを調節しない場合に比較して、消耗品の交換時期の自由度を向上させることができる。
請求項７に記載された発明によれば、前記選択手段によって選択された前記他の消耗品の消耗度合いが調節不可能な場合、前記調節手段は、前記消耗度合いが調節不可能な前記他の消耗品と交換時期が一致するように前記交換予定消耗品の消耗度合いを調節しない場合に比較して、消耗度合いが調節不可能な消耗品が存在する場合であっても、複数の消耗品の交換時期を合わせることができる。
【００２０】
請求項８に記載された発明によれば、複数の消耗品の交換時期を合わせることを可能とした消耗品管理システムを提供することができる。
【図面の簡単な説明】
【００２１】
【図１】この発明の実施の形態１に係る消耗品管理システムを示す構成図である。
【図２】この発明の実施の形態１に係る画像形成装置を示す概略構成図である。
【図３】この発明の実施の形態１に係る画像形成装置の画像形成部を示す構成図である。
【図４】この発明の実施の形態１に係る画像形成装置の要部を示す構成図である。
【図５】トナー濃度センサの出力の変化を示すグラフである。
【図６】トナー濃度センサの出力の変化を示すグラフである。
【図７】画像形成装置の制御装置を示すブロック図である。
【図８】管理サーバーの構成を示すブロック図である。
【図９】管理サーバーの構成を示す機能ブロック図である。
【図１０】トナー残量を示すグラフである。
【図１１】この発明の実施の形態１に係る消耗品管理システムの動作を示すグラフである。
【図１２】この発明の実施の形態１に係る消耗品管理システムの表示部を示す図表である。
【図１３】この発明の実施の形態１に係る消耗品管理システムの動作を示すグラフである。
【図１４】この発明の実施の形態１に係る消耗品管理システムの動作を示すグラフである。
【図１５】この発明の実施の形態１に係る消耗品管理システムの動作を示すフローチャートである。
【発明を実施するための形態】
【００２２】
以下に、この発明の実施の形態について図面を参照して説明する。
【００２３】
[実施の形態１]
図１は、実施の形態１に係る消耗品管理システムを示す構成図である。
【００２４】
＜消耗品管理システムの全体の構成＞
消耗品管理システム２００は、図１に示されるように、ＬＡＮ（Local Area Network）やインターネット等のネットワーク２０１を介して消耗品を管理する管理サーバー２０２とデータ通信可能に接続された複数の画像形成装置１１，１２，１３・・・等を備えている。管理サーバー２０２は、複数の画像形成装置１１，１２，１３・・・における消耗品の交換時期を管理する管理サービスを提供するコンピュータである。また、消耗品管理システム２００は、管理サーバー２０２を備えずに複数の画像形成装置１１，１２，１３・・・同士がデータ通信可能に接続されたシステムで、各画像形成装置１１，１２，１３・・・が互いに消耗品の交換時期を管理するものであっても良い。この場合、複数の画像形成装置１１，１２，１３・・・は、消耗品を注文するデータを図示しない消耗品の配送元へと送信することになる。
【００２５】
複数の画像形成装置１１，１２，１３・・・は、例えば、同一又は異なる複数のユーザーの元に配置される。複数の画像形成装置１１，１２，１３・・・は、同一機種のものであっても異なる機種のものであっても良い。例えば、ネットワーク２０１が１つの会社のＬＡＮであり、ＬＡＮを介して複数の画像形成装置１１，１２，１３・・・が互いに通信可能に接続されている場合である。あるいは、ネットワーク２０１がインターネットであり、同一のビルや同じビルの同一フロアにおける複数の会社において、複数の画像形成装置１１，１２，１３・・・がインターネットを介して互いに通信可能に接続されている場合などであっても良い。なお、これらは一例であって、ネットワーク２０１を介して互いにデータ通信可能に接続された複数の画像形成装置１１，１２，１３・・・を備えていれば、その態様は限定されない。
【００２６】
＜画像形成装置の全体の構成＞
図２及び図３は、実施の形態１に係る消耗品管理システム２００を適用した画像形成装置１を示すものである。図１はその画像形成装置１の全体の概要を示し、図２はその画像形成装置１における要部（作像装置など）を拡大して示している。
【００２７】
実施の形態１に係る画像形成装置１は、例えばカラープリンタとして構成されたものである。この画像形成装置１は、現像剤を構成するトナーで現像されるトナー像を形成する画像形成部の一例としての複数の作像装置１０と、各作像装置１０で形成されたトナー像をそれぞれ保持して最終的に記録媒体の一例としての記録用紙５に二次転写する二次転写位置まで搬送する中間転写装置２０と、中間転写装置２０の二次転写位置に供給すべき所要の記録用紙５を収容して搬送する給紙装置３０と、中間転写装置２０で二次転写された記録用紙５上のトナー像を定着させる定着装置４０等を備えている。なお、図中の１ａは画像形成装置１の装置本体を示し、この装置本体１ａは支持構造部材や外装カバーなどで構成されている。また、図中の破線は、装置本体１ａ内において記録用紙５が搬送される主な搬送経路を示す。
【００２８】
作像装置１０は、イエロー（Ｙ）、マゼンタ（Ｍ）、シアン（Ｃ）及びブラック（Ｋ）の４色のトナー像をそれぞれ専用に形成する４つの作像装置１０Ｙ，１０Ｍ，１０Ｃ，１０Ｋで構成されている。これらの４つの作像装置１０（Ｙ，Ｍ，Ｃ，Ｋ）は、装置本体１ａの内部空間において傾斜した状態で１列に並べた状態となるよう配置されている。４つの作像装置１０（Ｙ，Ｍ，Ｃ，Ｋ）は、イエロー（Ｙ）の作像装置１０Ｙが鉛直方向に沿った上方に位置して相対的に高く、ブラック（Ｋ）の作像装置１０Ｋが相対的に低くなる位置に存在している。
【００２９】
４つの作像装置１０（Ｙ，Ｍ，Ｃ，Ｋ）は、図２や図３に示されるように、像保持体の一例としての回転する感光体ドラム１１を備えており、この感光体ドラム１１の周囲に、次のようなトナー像形成手段の一例としての各装置が主に配置されている。主な装置とは、感光体ドラム１１の像形成が可能な周面（像保持面）を所要の電位に帯電させる帯電装置１２と、感光体ドラム１１の帯電された周面に画像の情報（信号）に基づく光を照射して電位差のある（各色用の）静電潜像を形成する静電潜像形成手段の一例としての露光装置１３と、その静電潜像を対応する色（Ｙ，Ｍ，Ｃ，Ｋ）の現像剤４のトナーで現像してトナー像にする現像手段の一例としての現像装置１４（Ｙ，Ｍ，Ｃ，Ｋ）と、その各トナー像を中間転写装置２０に転写する一次転写手段の一例としての一次転写装置１５（Ｙ，Ｍ，Ｃ，Ｋ）と、一次転写後における感光体ドラム１１の像保持面に残留して付着するトナー等の付着物を取り除いて清掃するドラム清掃装置１６（Ｙ，Ｍ，Ｃ，Ｋ）等である。尚、図２中、感光体ドラム１１や帯電装置１２等を示す符号は、イエロー（Ｙ）の作像装置１０Ｙにのみ付して他の作像装置１０（Ｍ，Ｃ，Ｋ）においては省略する。
【００３０】
感光体ドラム１１は、接地処理される円筒状又は円柱状の基材の周面に感光材料からなる光導電性層（感光層）を有する像保持面を形成したものである。この感光体ドラム１１は、図示しない駆動装置から駆動力が伝達されて矢印Ａで示す方向に回転するよう支持されている。
【００３１】
帯電装置１２は、感光体ドラム１１に接触した状態で配置される接触型の帯電ロールで構成される。帯電装置１２は、その表面を清掃する清掃ロール１２１を有している。帯電装置１２には帯電用電圧が供給される。帯電用電圧としては、現像装置１４が反転現像を行うものである場合、現像装置１４から供給されるトナーの帯電極性と同じ極性の電圧又は電流が供給される。なお、帯電装置１２としては、感光体ドラム１１の表面に非接触状態で配置されるスコロトロン等の非接触型の帯電装置を用いてもよい。
【００３２】
露光装置１３は、感光体ドラム１１の軸方向に沿って配列された複数の発光素子としてのＬＥＤ（Light Emitting Diode）により感光体ドラム１１に画像情報に応じた光を照射して静電潜像を形成するＬＥＤプリントヘッドからなる。なお、露光装置１３としては、画像情報に応じて構成されるレーザー光を感光体ドラム１１の軸方向に沿って偏向走査するものを用いても良い。
【００３３】
現像装置１４（Ｙ，Ｍ，Ｃ，Ｋ）はいずれも、図３に示されるように、開口部と現像剤４の収容室が形成された筐体１４０の内部に、現像剤４を保持して感光体ドラム１１と向き合う現像領域まで搬送する現像ロール１４１と、現像剤４を攪拌しながら現像ロール１４１を通過させるよう搬送する２つのスクリューオーガー等の攪拌搬送部材１４２，１４３と、現像ロール１４１に保持される現像剤の量（層厚）を規制する層厚規制部材１４４などを配置して構成したものである。この現像装置１４には、現像ロール１４１と感光体ドラム１１の間に現像バイアス電圧が図示しない電源装置から供給される。また、現像ロール１４１や攪拌搬送部材１４２，１４３は、図示しない駆動装置から駆動力が伝達されて所要の方向に回転する。さらに、４色の現像剤４（Ｙ，Ｍ，Ｃ，Ｋ）としては、非磁性トナーと磁性キャリアを含む二成分現像剤が使用される。
【００３４】
一次転写装置１５（Ｙ，Ｍ，Ｃ，Ｋ）は、図２に示されるように、感光体ドラム１１の周囲に中間転写ベルト２１を介して接触し回転するとともに一次転写用電圧が供給される一次転写ロールを備えた接触型の転写装置である。一次転写用電圧としては、トナーの帯電極性と逆の極性を示す直流の電圧が図示しない電源装置から供給される。
【００３５】
ドラム清掃装置１６は、図３に示されるように、一部が開口する容器状の本体１６０と、一次転写後の感光体ドラム１１の周面に所要の圧力で接触するように配置されて残留トナー等の付着物を取り除いて清掃する清掃板１６１と、清掃板１６１で取り除いたトナー等の付着物を回収して図示しない回収システムに送り出すよう搬送するスクリューオーガー等の送出部材１６２等で構成されている。清掃板１６１としては、ゴム等の材料からなる板状の部材（例えばブレード）が使用される。
【００３６】
中間転写装置２０は、図２に示されるように、各作像装置１０（Ｙ，Ｍ，Ｃ，Ｋ）の上方の位置に存在するよう配置される。この中間転写装置２０は、感光体ドラム１１と一次転写装置１５（一次転写ロール）の間となる一次転写位置を通過しながら矢印Ｂで示す方向に回転する中間転写ベルト２１と、中間転写ベルト２１をその内面から所望の状態に保持して回転自在に支持する複数のベルト支持ロール２２〜２５と、ベルト支持ロール２２に支持されている中間転写ベルト２１の外周面（像保持面）側に配置されて中間転写ベルト２１上のトナー像を記録用紙５に二次転写させる二次転写手段の一例としての二次転写装置２６と、二次転写装置２６を通過した後に中間転写ベルト２１の外周面に残留して付着するトナー、紙粉等の付着物を取り除いて清掃するベルト清掃装置２７とで主に構成されている。
【００３７】
中間転写ベルト２１としては、例えばポリイミド樹脂、ポリアミド樹脂等の合成樹脂にカーボンブラック等の抵抗調整剤などを分散させた材料で製作される無端状のベルトが使用される。また、ベルト支持ロール２２は二次転写の背面支持ロールとして構成され、ベルト支持ロール２３は図示しない駆動装置によって回転駆動される駆動ロールとして構成され、ベルト支持ロール２４は中間転写ベルト２１の画像形成面を形成する面出しロールとして構成され、ベルト支持ロール２５は中間転写ベルト２１に張力を付与する張力付与ロールとして構成される。
【００３８】
二次転写装置２６は、中間転写装置２０におけるベルト支持ロール２２に支持されている中間転写ベルト２１の外周面部分である二次転写位置において、中間転写ベルト２１の周面に接触して回転するとともに二次転写用電圧が供給される二次転写ロールを備えた接触型の転写装置である。また、二次転写ロール２６又は中間転写装置２０のベルト支持ロール２２には、トナーの帯電極性と逆極性又は同極性を示す直流の電圧が二次転写用電圧として図示しない電源装置から供給される。
【００３９】
ベルト清掃装置２７は、一部が開口する容器状の本体２７０と、二次転写後の中間転写ベルト２１の周面に所要の圧力で接触するように配置されて残留トナー等の付着物を取り除いて清掃する清掃板２７１と、清掃板２７１で取り除いたトナー等の付着物を回収して図示しない回収装置に送り出すよう搬送するスクリューオーガー等の送出部材２７２等で構成されている。清掃板２７１としては、ゴム等の材料からなる板状の部材（例えばブレード）が使用される。
【００４０】
定着装置４０は、記録用紙５の導入口及び排出口が形成された図示しない筐体の内部に、矢印で示す方向に回転するとともに表面温度が所定の温度に保持されるよう加熱手段によって加熱されるロール形態又はベルト形態の加熱用回転体４１と、この加熱用回転体４１の軸方向にほぼ沿う状態で所定の圧力で接触して回転するロール形態又はベルト形態の加圧用回転体４２などを配置して構成されたものである。この定着装置４０では、加熱用回転体４１と加圧用回転体４２が接触する接触部が所要の定着処理（加熱及び加圧）を行う定着処理部となる。
【００４１】
給紙装置３０は、作像装置１０（Ｙ，Ｍ，Ｃ，Ｋ）の鉛直方向に沿った下方側の位置に存在するよう配置される。この給紙装置３０は、所望のサイズ、種類等の記録用紙５を積載した状態で収容する複数（又は単数）の用紙収容体３１と、用紙収容体３１から記録用紙５を１枚ずつ送り出す送出装置３２とで主に構成される。用紙収容体３１は、例えば、図示しないガイドレールによって装置本体１ａの正面（使用者が操作時に向き合う側面）側に引き出すことができるように取り付けられている。
【００４２】
記録用紙５としては、例えば、電子写真方式の複写機、プリンタ等に使用される普通紙やトレーシングペーパー等の薄紙、あるいはＯＨＰシート等が挙げられる。定着後における画像表面の平滑性をさらに向上させるには、記録用紙５の表面もできるだけ平滑であることが好ましく、例えば、普通紙の表面を樹脂等でコーティングしたコート紙、印刷用のアート紙等の坪量が相対的に大きい所謂厚紙なども好適に使用することができる。
【００４３】
給紙装置３０と二次転写装置２６との間には、図２に示されるように、給紙装置３０から送り出される記録用紙５を二次転写位置まで搬送する単数又は複数の用紙搬送ロール対３３や図示しない搬送ガイドで構成される給紙搬送路３４が、装置本体１ａの左側面に鉛直方向に沿って設けられている。給紙搬送路３４において二次転写位置の直前の位置に配置される用紙搬送ロール対３３は、例えば記録用紙５の搬送時期を調整するロール（レジストロール）として構成されている。また、二次転写装置２６と定着装置４０との間には、二次転写装置２６から送り出される二次転写後の記録用紙５を定着装置４０まで搬送するための用紙搬送路３５が設けられている。さらに、装置本体１ａに形成される用紙の排出口に近い部分には、定着装置４０から出口ロール３６により送り出される定着後の記録用紙５を装置本体１ａの上部の用紙排出部３７に排出するための用紙排出ロール対３８を備えた排出搬送路３９が設けられている。
【００４４】
定着装置４０と用紙排出ロール対３８との間には、用紙搬送路を切り替える切替ゲートＧを備えている。用紙排出ロール対３８は、その回転方向が正転方向（排出方向）と逆転方向に切り替え可能に構成されている。記録用紙５の両面に画像を形成する場合には、片面に画像が形成された記録用紙５の後端が切替ゲートＧを通過した後、用紙排出ロール対３８の回転方向を正転方向（排出方向）から逆転方向に切り替える。用紙排出ロール対３８によって逆転方向に搬送される記録用紙５は、切替ゲートＧによって用紙搬送路が切り替えられ、装置本体１ａの側面に沿って略鉛直方向に沿うように形成された両面用搬送路４８へと搬送される。両面用搬送路４８は、表裏を反転させた状態で記録用紙５を用紙搬送ロール対３３へと搬送する用紙搬送ロール対４９と図示しない搬送ガイド等を備えている。なお、符号４９ａは下方に位置する用紙収容体３１や図示しない手差しトレイから給紙される記録用紙５を用紙搬送ロール対３３へと搬送する用紙搬送ロール対を示している。
【００４５】
図２中、符号１４５（Ｙ，Ｍ，Ｃ，Ｋ）は、紙面に直交する方向に沿って配置され、対応する現像装置１４（Ｙ，Ｍ，Ｃ，Ｋ）に供給する少なくともトナーを含む現像剤を収容した現像剤容器の一例としてのトナーカートリッジをそれぞれ示している。
【００４６】
また、図２中符号１００は、画像形成装置１の動作を統括的に制御する制御装置を示している。制御装置１００は、図示しないＣＰＵ（Central Processing Unit）やＲＯＭ（Read  Only  Memory）、ＲＡＭ（Random  Access Memory）、あるいはこれらＣＰＵやＲＯＭ等を接続するバス、通信インターフェイスなどを備えている。制御装置１００については、後に詳述する。
【００４７】
＜画像形成装置の動作＞
以下、画像形成装置１による基本的な画像形成動作について説明する。
【００４８】
ここでは、前記４つの作像装置１０（Ｙ，Ｍ，Ｃ，Ｋ）を使用して、４色（Ｙ，Ｍ，Ｃ，Ｋ）のトナー像を組み合わせて構成されるフルカラー画像を形成するフルカラーモードにおける動作を説明する。
【００４９】
画像形成装置１は、制御装置１００によって制御され、図示しないユーザインターフェイスやプリンタドライバ等からフルカラーの画像形成動作（プリント）の要求の指令情報を受けると、４つの作像装置１０（Ｙ，Ｍ，Ｃ，Ｋ）、中間転写装置２０、二次転写装置２６、定着装置４０等が始動する。
【００５０】
そして、各作像装置１０（Ｙ，Ｍ，Ｃ，Ｋ）においては、図２及び図３に示されるように、まず各感光体ドラム１１が矢印Ａで示す方向に回転し、各帯電装置１２が各感光体ドラム１１の表面を所要の極性（実施の形態１ではマイナス極性）及び電位にそれぞれ帯電させる。続いて、露光装置１３が、帯電後の感光体ドラム１１の表面に対し、画像形成装置１に入力される画像の情報を各色成分（Ｙ，Ｍ，Ｃ，Ｋ）に変換して得られる画像の信号に基づいて発光される光を照射し、その表面に所要の電位差で構成される各色成分の静電潜像をそれぞれ形成する。
【００５１】
続いて、各作像装置１０（Ｙ，Ｍ，Ｃ，Ｋ）が、感光体ドラム１１に形成された各色成分の静電潜像に対し、所要の極性（マイナス極性）に帯電された対応する色（Ｙ，Ｍ，Ｃ，Ｋ）のトナーを現像ロール１４１からそれぞれ供給して静電的に付着させて現像を行う。この現像により、各感光体ドラム１１に形成された各色成分の静電潜像は、その対応する色のトナーでそれぞれ現像された４色（Ｙ，Ｍ，Ｃ，Ｋ）のトナー像として顕像化される。
【００５２】
続いて、各作像装置１０（Ｙ，Ｍ，Ｃ，Ｋ）の感光体ドラム１１上に形成された各色のトナー像が一次転写位置まで搬送されると、一次転写装置１５（Ｙ，Ｍ，Ｃ，Ｋ）が、その各色のトナー像を中間転写装置２０の矢印Ｂで示す方向に回転する中間転写ベルト２１に対して順番に重ね合わされるような状態で一次転写させる。
【００５３】
また、一次転写が終了した各作像装置１０（Ｙ，Ｍ，Ｃ，Ｋ）では、ドラム清掃装置１６が付着物を掻き取るように除去して感光体ドラム１１の表面を清掃する。これにより、各作像装置１０（Ｙ，Ｍ，Ｃ，Ｋ）は、次の作像動作が可能な状態にされる。
【００５４】
続いて、中間転写装置２０では、中間転写ベルト２１の回転により一次転写されたトナー像を保持して二次転写位置まで搬送する。一方、給紙装置３０では、作像動作に合わせて所要の記録用紙５を給紙搬送路３４に送り出す。給紙搬送路３４では、レジストロールとしての用紙搬送ロール対３３が記録用紙５を転写時期に合わせて二次転写位置に送り出して供給する。
【００５５】
二次転写位置においては、二次転写装置２６が、中間転写ベルト２１上のトナー像を記録用紙５に一括して二次転写させる。また、二次転写が終了した中間転写装置２０では、ベルト清掃装置２７が二次転写後の中間転写ベルト２１の表面に残留したトナー等の付着物を取り除いて清掃する。
【００５６】
続いて、トナー像が二次転写された記録用紙５は、中間転写ベルト２１から剥離された後に用紙搬送路３５を介して定着装置４０まで搬送される。定着装置４０では、回転する加熱用回転体４１と加圧用回転体４２との間の接触部に二次転写後の記録用紙５を導入して通過させることにより、必要な定着処理（加熱及び加圧）を施して未定着のトナー像を記録用紙５に定着させる。最後に、定着が終了した後の記録用紙５は、その片面への画像の形成を行うだけの画像形成動作のときは、用紙排出ロール対３８により、装置本体１ａの上部に設置された用紙排出部３７に排出される。
【００５７】
以上の動作により、４色のトナー像を組み合わせて構成されるフルカラー画像が形成された記録用紙５が出力される。なお、画像形成装置１では、ブラック（Ｋ）の作像装置１０Ｋのみを用いて記録用紙５にモノクロの画像を形成しても勿論よい。
【００５８】
＜画像形成装置の特徴部分の構成＞
【００５９】
図４はこの実施の形態１に係る画像形成装置の要部を示す構成図である。
【００６０】
トナー補給装置９０（Ｙ，Ｍ，Ｃ，Ｋ）は、図４に示されるように、トナーカートリッジ１４５（Ｙ，Ｍ，Ｃ，Ｋ）の下方に配置されている。トナー補給装置９０（Ｙ，Ｍ，Ｃ，Ｋ）は、トナーカートリッジ１４５（Ｙ，Ｍ，Ｃ，Ｋ）から供給されるトナーを一時的に貯留する貯留タンク等からなる貯留部材９１と、貯留部材９１に一時的に貯留されたトナーを現像装置１４（Ｙ，Ｍ，Ｃ，Ｋ）へと搬送するスクリューオーガや搬送パイプ等からなる搬送部材９２とを備えている。トナーカートリッジ１４５（Ｙ，Ｍ，Ｃ，Ｋ）は、その内部に収納されたトナーを攪拌しつつ図示しないトナー供給口へと搬送する図示しない攪拌搬送部材を有している。トナー補給装置９０（Ｙ，Ｍ，Ｃ，Ｋ）及びトナーカートリッジ１４５（Ｙ，Ｍ，Ｃ，Ｋ）は、駆動手段としてのトナー補給モータ９３により個別に駆動される。トナー補給装置９０（Ｙ，Ｍ，Ｃ，Ｋ）の貯留部材９１には、当該貯留部材９１内におけるトナーの有無を検知するトナー検知センサ１５１が設けられている。
【００６１】
また、各現像装置１４（Ｙ，Ｍ，Ｃ，Ｋ）は、図３及び図４に示されるように、内部に収容された現像剤４のトナー濃度を検知するトナー濃度センサ１４８を備えている。このトナー濃度センサ１４８は、トナーカートリッジ１４５内のトナー量に応じて変化する値を検知する検知手段を構成している。トナー濃度センサ１４８としては、例えば、現像剤４の透磁率を測定することにより現像装置１４内の現像剤４中のトナー濃度を検知するものが用いられる。トナー濃度センサ１４８の出力は、例えば、図５に示されるように、トナー濃度が高くなるに従って出力が低下するように変化する。現像装置１４内のトナー濃度は、図６に示されるように、通常は略一定の値を維持するように制御されているが、トナーカートリッジ１４５内のトナー残量が減少し空に近くなると、現像装置１４に供給されるトナーの量が減少し現像装置１４内のトナー濃度が徐々に低下してトナー濃度センサ１４８の出力が増加する。したがって、現像装置１４内のトナー濃度をトナー濃度センサ１４８により検知することで、トナーカートリッジ１４５内のトナー残量を実測により検知することが可能となる。
【００６２】
図７はこの実施の形態に係る画像形成装置の制御装置１００を示すブロック図である。
【００６３】
図７において、１０１は画像形成装置１の全体の動作を統括して制御する制御手段としての制御部を示すものであり、制御部１０１はコントローラーとしての機能を備えている。また、この制御部１０１は、トナーカートリッジ１４５内のトナー量を予測する予測因子に基づいてトナーカートリッジ１４５内のトナー量（残量）を判定する第１の現像剤量判定手段としての機能と、トナーカートリッジ１４５内のトナー量に応じて変化する値を実測した実測因子に基づいてトナーカートリッジ１４５内のトナー量（残量）を判定する第２の現像剤量判定手段としての機能と、予め定められた期間における画像形成装置１の使用状況を判定する使用状況判定手段としての機能を兼ね備えている。また、制御部１０１は、時計を内蔵しており、日付や時刻を管理している。１０２は画像形成装置１の動作を制御するためのプログラムやパラメータ、テーブルあるいはデータ等を記録するＲＯＭやＲＡＭ等からなる記憶部を示している。
【００６４】
１０３は画像形成装置１に使用するユーザが記録用紙５のサイズやプリント枚数、モノクロやフルカラー等の画像形成条件を入力するための操作を行うとともに、ユーザに対してトナーカートリッジ１４５の交換や交換の準備を促すメッセージなどを表示する液晶表示パネル等からなる表示部を備えたユーザインターフェイス等からなる操作表示部を示している。
【００６５】
操作表示部１０３は、消耗品管理システム２００において、後述するように、予測手段によって予測された消耗品の交換時期が現在の時刻から予め定められた期間以内である交換予定消耗品に対して交換時期を一致させる他の消耗品を表示し、表示された他の消耗品の中からいずれか１つ以上の他の消耗品を選択する選択手段としての機能をも備えている。
【００６６】
１０４は画像形成装置１がカラー複写機として機能する場合に原稿の画像を読み取る画像読取部、１０５は画像読取部１０４で読み取られるか又は外部から送られてくる画像情報（データ）を一時的に記憶する画像記憶部、１０６は画像記憶部１０５に記憶された画像データに対して所要の画像処理を施す画像処理部、１０７は画像処理部１０６で所要の画像処理が施された画像データに基づいて画像形成（プリント）動作を行う画像形成手段としての画像形成部（印刷部）、１０８はネットワーク２０１を介して管理サーバー２０２や他の画像形成装置１１，１２，１３・・・とデータ通信を行う通信部をそれぞれ示している。
【００６７】
図４は上述した制御部１０１の一部の構成を機能ブロックとして併せて示している。
【００６８】
画像データ制御部１１１は、画像形成時、画像記憶部１０５に記憶された画像データを読み出して露光装置１３及び画像ピクセルカウント部１１２へ出力する。
【００６９】
画像ピクセルカウント部１１２は、画像データ制御部１１１から出力される画像データに基づいて、例えば、１ページ当たりの記録用紙５に形成すべき画素数であるピクセル数を計数する。画像ピクセルカウント部１１２は、計数した画像のピクセル数を画像ピクセル数積算部１１３及びトナー補給制御部１１４へ出力する。画像ピクセル数積算部１１３は、画像ピクセルカウント部１１２から出力される画像のピクセル数を累積的に加算し、画像のピクセル数の積算値を算出する。また、トナー補給制御部１１４は、画像ピクセルカウント部１１２により計数された画像のピクセル数に基づいてトナー補給時間の算出等を行う。
【００７０】
トナー補給制御部１１４は、トナー補給装置９０のトナー補給モータ９３に駆動信号を出力し、トナー補給モータ９３を所要の時間だけ駆動することによりトナーの補給動作を実行する。また、トナー補給制御部１１４から出力される駆動信号は、トナー補給時間積算部１１５に入力され、トナー補給時間積算部１１５によってトナー補給装置９０の各トナー補給モータ９３が駆動される時間であるトナー補給時間の積算値が算出される。
【００７１】
トナー空検知部１１６は、例えば、各現像装置１４に設けられたトナー濃度センサ１４８から出力される検知信号に基づいて、トナーカートリッジ１４５内のトナー残量（トナーの空状態）を実測により検知する。即ち、トナー空検知部１１６は、例えば、トナー補給制御部１１４から出力される駆動信号に基づいてトナー補給モータ９３を駆動した後、トナー濃度センサ１４８により検知される現像装置１４内のトナー濃度に基づいて、例えば、トナーカートリッジ１４５内にトナーが無い空状態（交換状態）か、或いはトナーカートリッジ１４５内のトナー残量が予め定められた空状態に近い状態（交換準備状態）であるか否か等を検知する。
【００７２】
一方、トナー残量検知部１１７は、画像ピクセル数積算部１１３によって積算された画像のピクセル数の積算値、又はトナー補給時間積算部１１５によって積算されたトナー補給時間の積算値等に基づいて、トナーカートリッジ１４５内のトナー残量を予測することにより検知する。
【００７３】
また、トナー残量検知部１１７は、画像データ制御部１１１が画像形成時に画像記憶部１０５に記憶された画像データを読み出す情報に基づいて、当該画像データによって記録用紙５に画像を形成するために回転駆動される感光体ドラム１１の回転数の積算値を検知する。さらに、トナー残量検知部１１７は、感光体ドラム１１の回転数の積算値に応じて、当該感光体ドラム１１の光導電性層（感光層）の膜厚や帯電ロール１２の被覆層の厚みを求め、感光体ドラム１１や帯電ロール１２の交換時期を検知する機能をも有している。
【００７４】
＜消耗品管理システムの特徴部分の構成＞
個々の画像形成装置１は、図２に示されるように、上述した如く、各作像装置１０（Ｙ，Ｍ，Ｃ，Ｋ）を構成する感光体ドラム１１や帯電装置１２、露光装置１３、現像装置１４、一次転写装置１５、ドラム清掃装置１６、あるいは二次転写装置２０、給紙装置３０、定着装置４０などの種々の装置、又はトナーカートリッジ１４５（Ｙ，Ｍ，Ｃ，Ｋ）などの複数の部材から構成されている。これらの装置や部材は、個々の画像形成装置１が画像形成動作を実行することにより徐々に消耗する消耗品である。これらの消耗品は、寿命に達すると所要の性能（画質など）を維持することができなくなるため、新たなものと交換される。ここで、消耗品とは、内部に収容されたトナーが消費されるトナーカートリッジ１４５（Ｙ，Ｍ，Ｃ，Ｋ）などの所謂消耗品に限らず、感光体ドラム１１、帯電装置１２の帯電ロールや清掃ロール１２１、あるいは給紙装置３０の用紙搬送ロール対３３、更には用紙排出ロール対３８等のように、画像形成動作に伴って徐々に摩耗する交換部品をも含むものである。例えば、感光体ドラム１１は、画像形成動作に伴って光導電性層（感光層）の膜厚が徐々に減少し、感光層の膜厚が所要の閾値以下になると、画像の濃度低下やかぶりなどが生じて所要の画質を維持することができなくなるため、新たなものと交換する必要が生じる。同様に、帯電装置１２や給紙装置３０なども、画像形成動作に伴って帯電ロールや用紙搬送ロール対３３あるいは用紙排出ロール対３８等が徐々に摩耗して外径が減少すると、所要の帯電性能や搬送性能を維持することができなくなるため、新たなものと交換される。
【００７５】
通常、個々の消耗品は、例えば、イエロー（Ｙ）、マゼンタ（Ｍ）、シアン（Ｃ）及びブラック（Ｋ）のトナーカートリッジ１４５（Ｙ，Ｍ，Ｃ，Ｋ）などのように、同一の部材であっても、形成する画像の色彩や濃度等に依存してまったく個別に消費されるものであるため、トナーカートリッジ１４５（Ｙ，Ｍ，Ｃ，Ｋ）の交換時期は区々となる。もちろん、個々の消耗品が感光体ドラム１１や帯電装置１２のように異なる部材である場合には、各消耗品が個別に使用されて個別に摩耗するため、交換時期は区々となる。そのため、同一又は異なる複数の画像形成装置１１，１２，１３・・・では、複数の消耗品の交換時期が個々の画像形成装置１１，１２，１３・・・毎に、あるいは同一の画像形成装置１内であってもまったく異なるのが実情である。その結果、同一又は複数の画像形成装置１１，１２，１３・・・では、複数の消耗品の交換時期が区々となり、消耗品の注文を行うユーザーや消耗品の配送を行う会社等にとって、消耗品の注文や配送あるいは交換作業を消耗品が交換時期に達するたびに行う必要があり煩雑となる。一方、複数の消耗品であっても、交換時期が所要の期間内に到来する場合がある。
【００７６】
そこで、この実施の形態では、ネットワーク２０１に接続されている複数の画像形成装置１１，１２，１３・・・において、それぞれの消耗品の消耗度を一括して管理し、複数の消耗品を略同時に使い切るように消耗品の使用量を調整するように構成されている。そして、同一又は複数の画像形成装置１１，１２，１３・・・において消耗品の使用量を調整することにより、複数の消耗品の交換時期を合わせるように構成されている。
【００７７】
この実施の形態に係る消耗品管理システム２００は、図１に示されるように、ネットワーク２０１に接続された管理サーバー２０２と複数の画像形成装置１１，１２，１３・・・を備えている。複数の画像形成装置１１，１２，１３・・・における消耗品の交換時期の管理は、基本的に、管理サーバー２０２で行われるが、個々の画像形成装置１１，１２，１３・・・において実行するように構成しても良い。ここでは、複数の画像形成装置１１，１２，１３・・・における消耗品の交換時期の管理を管理サーバー２０２が行う場合について説明する。また、この実施の形態では、主に、消耗品の例としてイエロー（Ｙ）、マゼンタ（Ｍ）、シアン（Ｃ）及びブラック（Ｋ）のトナーカートリッジ１４５（Ｙ，Ｍ，Ｃ，Ｋ）に適用した場合について説明するが、一部では感光体ドラム１１の交換等についても言及する。ただし、消耗品としては、トナーカートリッジ１４５（Ｙ，Ｍ，Ｃ，Ｋ）に限定されるものではなく、感光体ドラム１１や帯電装置１２、あるいは用紙搬送ロール対３３等であっても良いことは勿論である。
【００７８】
この実施の形態では、管理サーバー２０２が複数の画像形成装置１１，１２，１３・・・におけるトナーカートリッジ１４５（Ｙ，Ｍ，Ｃ，Ｋ）や感光体ドラム１１等の交換時期を管理する機能を備えている。管理サーバー２０２は、同一又は異なる画像形成装置１１，１２，１３・・・における複数のトナーカートリッジ１４５（Ｙ，Ｍ，Ｃ，Ｋ）の交換時期を予測する予測手段と、予測手段によって予測された交換時期が予め定められた期間以内である交換予定消耗品に対し交換時期を一致させる他の消耗品を選択する選択手段と、選択手段によって選択された他の消耗品の交換時期と一致するように少なくとも交換予定消耗品の消耗度合いを調節する調節手段としての機能を備える。なお、ここで、交換予定消耗品とは、予測手段が最初に交換時期が到来することを予測した消耗品を意味する。また、他の消耗品は、交換予定消耗品に対して交換時期を一致させる他の消耗品である。他の消耗品は、この実施の形態においてトナーカートリッジ１４５（Ｙ，Ｍ，Ｃ，Ｋ）である必要はなく、感光体ドラム１１や帯電装置１２（帯電ロール）などであっても良い。
【００７９】
図８は管理サーバー２０２のハードウェア構成を示すブロック図である。
【００８０】
管理サーバー２０２は、図８に示されるように、大別して、制御部２２１と、記憶部２２２と、表示部２２３と、操作部２２４と、通信部２２５とを備えている。表示部２２３は、例えば、液晶表示パネル等からなるディスプレイ装置を有している。表示部２２３は、管理サーバー２０２を操作するための各種の管理画面を表示する。操作部２２４は、キーボードやマウスなど、管理サーバー２０２を操作するための入力装置を有している。通信部２２５は、ネットワーク２０１に接続されており、ネットワーク２０１を介して複数の画像形成装置１１，１２，１３・・・とデータ通信を行う通信インターフェースとして機能する。制御部２２１は、図示しないＣＰＵ（Central Processing Unit）やＲＯＭ（Read  Only  Memory）、ＲＡＭ（Random  Access Memory）等を備えており、記憶部２２２に記憶されている消耗品の交換時期の管理プログラムを実行する。  
【００８１】
記憶部２２２は、例えばハードディスク装置等を有しており、管理サーバー２０２の機能を実現する管理プログラムを記憶する。制御部２２１が、記憶部２２２に記憶されている管理プログラムを実行することにより、管理サーバー２０２としての機能が実現される。また、制御部２２１が、記憶部２２２に記憶されている消耗品の管理プログラムを実行すると、複数の画像形成装置１１，１２，１３・・・から送信される複数の消耗品の交換時期を予測するための消耗品情報を取得し、取得した消耗品情報を記憶する機能や、ステータス情報を接続されている複数の画像形成装置１１，１２，１３・・・から取得する機能、ステータス情報と消耗品情報を複数の画像形成装置１１，１２，１３・・・へ送信する機能などが実現する。
【００８２】
（サーバー装置２０２の機能構成）
図９は、記憶部２２２に記憶されているプログラムを制御部２２１が実行することにより実現される複数の機能を示すブロック図である。
【００８３】
管理サーバー２０２は、同一又は異なる画像形成装置１１，１２，１３・・・における複数の消耗品の交換時期を予測する予測手段の一例としての予測部２０２１と、予測部２０２１によって予測された交換時期が現在の時刻から予め定められた期間以内である交換予定消耗品に対して交換時期を一致させる他の消耗品を選択する選択手段の一例としての選択部２０２２と、選択部２０２２が他の消耗品として複数の消耗品を選択した場合に、複数の消耗品の中から１つ以上の消耗品を指定する指定手段の一例としての指定部２０２３と、選択部２０２２の指定部２０２３によって選択され指定された他の消耗品の交換時期と一致するように少なくとも交換予定消耗品の消耗度合いを調節する調節手段の一例としての調節部２０２４とを備えている。調節部２０２４は、少なくとも交換予定消耗品の消耗度合いを調節するものであれば良く、交換予定消耗品に加えて他の消耗品の消耗度合いをも調節するものであっても良い。また、調節部２０２４は、他の消耗品の消耗度合いのみを調節するものであっても良い。
【００８４】
予測部２０２１は、同一又は異なる画像形成装置１１，１２，１３・・・におけるトナーカートリッジ１４５（Ｙ，Ｍ，Ｃ，Ｋ）を含む複数の消耗品の交換時期を予測する。予測部２０２１は、各画像形成装置１１，１２，１３・・・のトナー残量検知部１１７（図４参照）から出力される信号に基づいて、トナーカートリッジ１４５（Ｙ，Ｍ，Ｃ，Ｋ）内のトナー残量が予め定められた空状態に近い状態（交換準備状態）を超えているのか、トナー残量が交換準備状態以下であるのか、トナーが無い空状態（交換状態）であるのか等を予測する。
【００８５】
このとき、予測部２０２１は、図１０に示されるように、各画像形成装置１１，１２，１３・・・のトナー残量検知部１１７からの信号に基づいて、各画像形成装置１１，１２，１３・・・のトナーカートリッジ１４５（Ｙ，Ｍ，Ｃ，Ｋ）毎にトナー残量を示すテーブルやグラフ等を作成して記憶部２２２に記憶している。そして、予測部２０２１は、トナーカートリッジ１４５（Ｙ，Ｍ，Ｃ，Ｋ）のうち、いずれか１つでもトナー残量が交換準備状態であることを示す閾値である交換準備判定閾値以下に達したと判定すると、図１０に示されるように、当該交換準備判定閾値に達したトナーカートリッジ１４５（Ｙ，Ｍ，Ｃ，Ｋ）の使用履歴に基づいて直線で近似して、当該交換準備判定閾値に達したトナーカートリッジ１４５（Ｙ，Ｍ，Ｃ，Ｋ）の交換時期を予測する。ここで、図１０では、横軸としてトナー補給時間積算値を示しているが、制御部１０１は、予め定められた期間における画像形成装置１の使用状況を判定する使用状況判定手段としての機能を備えており、当該画像形成装置１の使用状況の判定機能に基づいて残りのトナー補給時間積算値を現在からの時間に換算し、交換準備判定閾値に達したトナーカートリッジ１４５（Ｙ，Ｍ，Ｃ，Ｋ）の交換時期を日にち及び時間等として予測する。例えば、交換準備判定閾値に達したトナーカートリッジ１４５Ｙの交換時期は、○月○日に到来するというように予測される。
【００８６】
同様に、予測部２０２１は、図１１に示されるように、各画像形成装置１１，１２，１３・・・のトナーカートリッジ１４５（Ｙ，Ｍ，Ｃ，Ｋ）などすべての消耗品の交換時期を予測する。
【００８７】
図１１では、例えば、予測部２０２１によって現在から最も最初に消耗品の交換時期が到来すると予測された消耗品が画像形成装置Ａのイエロー（Ｙ）のトナーカートリッジ１４５Ｙとした場合、このイエロー（Ｙ）のトナーカートリッジ１４５Ｙが交換予定消耗品となる。同様に、予測部２０２１は、交換予定消耗品であるイエロー（Ｙ）のトナーカートリッジ１４５Ｙよりも後に交換時期が到来する他の消耗品の交換時期をも予測する。ここで、他の消耗品としては、例えば、同じ画像形成装置Ａのシアン（Ｃ）のトナーカートリッジ１４５Ｃや異なる画像形成装置Ｂのブラック（Ｋ）のトナーカートリッジ１４５Ｋなどが交換時期が続いて到来する消耗品として予測される。
【００８８】
このとき、予測部２０２１は、図１２に示されるように、予測したトナーカートリッジ１４５（Ｙ，Ｍ，Ｃ，Ｋ）などの交換時期を管理サーバー２０２の表示部２２３及び各画像形成装置１１，１２，１３・・・の操作表示部１０３に表示する。ユーザは、各画像形成装置１１，１２，１３・・・の操作表示部１０３を目視することにより、交換予定消耗品であるイエロー（Ｙ）のトナーカートリッジ１４５Ｙ及び他の消耗品の交換情報を取得することができる。
【００８９】
なお、予測部２０２１が予測する消耗品の交換時期は、現在から予め定められた期間内（例えば、２０〜３０日程度）のものであり、常に複数の消耗品の交換時期が予測される訳ではなく、単一の消耗品の交換時期が予測される場合もある。この場合には、当然、単一の消耗品の交換時期が予測されて表示され、注文や交換作業が実行される。
【００９０】
図１２の例では、管理サーバー２０２の予測部２０２１が予測した画像形成装置Ａのイエロー（Ｙ）のトナーカートリッジ１４５Ｙの交換時期が３日後、画像形成装置Ａのシアン（Ｃ）のトナーカートリッジ１４５Ｃの交換時期が５日後、画像形成装置Ｂのブラック（Ｋ）のトナーカートリッジ１４５Ｋの交換時期が３０日後、画像形成装置Ｂのブラック（Ｋ）の感光体ドラム１１Ｋの交換時期が２０日後、画像形成装置Ｃのマゼンタ（Ｍ）のトナーカートリッジ１４５Ｍの交換時期が１５日後と予測された場合を示している。
【００９１】
この図１２に示す交換消耗品選択リストは、管理サーバー２０２の表示部２２３に表示されるとともに、各画像形成装置１１，１２，１３・・・の操作表示部１０３にも表示される。通常、ユーザは、各画像形成装置１１，１２，１３・・・の操作表示部１０３に表示された交換消耗品選択リストを見て、最も早く交換時期が到来する交換予定消耗品である画像形成装置Ａのイエロー（Ｙ）のトナーカートリッジ１４５Ｙに加えて、交換時期を併せて同時に交換する他の消耗品を１つ以上選択する。ここでは、タッチパネルからなる操作表示部１０３をユーザが操作することにより、例えば、他の消耗品として交換時期が所要の期間（例えば、５日）以内である同一の画像形成装置Ａのシアン（Ｃ）のトナーカートリッジ１４５Ｃを交換の有無により選択する。図１２において、便宜上、選択された他の消耗品を「○」、選択されなかった他の消耗品を「×」として図示している。
【００９２】
通常、ユーザは、画像形成装置Ａなら画像形成装置Ａのように、特定の１台の画像形成装置１を使用すると思われるが、１つのフロアに画像形成装置Ａ、画像形成装置Ｂ、画像形成装置Ｃ・・・のように複数台の画像形成装置１が存在する場合がある。そのため、ユーザーは、通常使用する特定の１台の画像形成装置１のみではなく、複数台の画像形成装置Ａ，Ｂ，Ｃ・・・の消耗品の交換時期を把握して管理することが望ましい。
【００９３】
また、図１２に例示されるような交換消耗品選択リストは、所要のタイミングで該当する個々の画像形成装置のみではなく、ネットワーク２０１で接続された複数の画像形成装置１１，１２，１３・・・の操作表示部１０３に表示される。したがって、消耗品の交換時期が到来した画像形成装置Ａ等のユーザのみではなく、他の画像形成装置Ｂ，Ｃ・・・のユーザも自己が使用している画像形成装置は勿論のこと、他の画像形成装置の消耗品の交換時期を把握して管理することができる。
【００９４】
なお、管理サーバー２０２は、表示部２２３及び各画像形成装置１１，１２，１３・・・の操作表示部１０３において他の消耗品が選択されたことを検知すると、交換予定消耗品である画像形成装置Ａのイエロー（Ｙ）のトナーカートリッジ１４５Ｙ及び選択された他の消耗品である画像形成装置Ａのシアン（Ｃ）のトナーカートリッジ１４５Ｃの注文データを配送会社に対して自動的に送信する。
【００９５】
管理サーバー２０２の調節部２０２４は、選択された他の消耗品である画像形成装置Ａのシアン（Ｃ）のトナーカートリッジ１４５Ｃと交換時期を合わせるように、交換予定消耗品である画像形成装置Ａのイエロー（Ｙ）のトナーカートリッジ１４５Ｙの使用量を調節する。
【００９６】
他の消耗品である画像形成装置Ａのシアン（Ｃ）のトナーカートリッジ１４５Ｃの交換時期は、当然のことながら交換予定消耗品である画像形成装置Ａのイエロー（Ｙ）のトナーカートリッジ１４５Ｙの交換時期よりも遅い時期である。管理サーバー２０２の予測部２０２１は、図１２に示されるように、他の消耗品である画像形成装置Ａのシアン（Ｃ）のトナーカートリッジ１４５Ｃの交換時期を予測する。ここで、他の消耗品である画像形成装置Ａのシアン（Ｃ）のトナーカートリッジ１４５Ｃの交換時期は、通常の使用状態で使用した場合に、トナーが無い空状態（交換状態）であると予測される時期（日時）である。
【００９７】
管理サーバー２０２の調節部２０２４は、画像形成装置Ａのイエロー（Ｙ）のトナーカートリッジ１４５Ｙにおける使用量を、画像形成装置Ａのシアン（Ｃ）のトナーカートリッジ１４５Ｃの交換時期と一致させるように、通信部２２５を介して該当する画像形成装置Ａの制御装置１００に制御信号を送信することで実行する。
【００９８】
調節部２０２４は、交換予定消耗品がトナーカートリッジ１４５Ｙである場合、当該トナーカートリッジ１４５Ｙからのトナー供給量に関連するパラメータを調節する調節信号を画像形成装置Ａの制御装置１００に制御信号を送信する。トナーカートリッジ１４５Ｙは、基本的に、作像装置１０Ｙの現像装置１４Ｙで消費されるトナー量に応じてイエロー（Ｙ）のトナーを供給するものであり、トナー供給量を一律に減少させるように調節してしまうと画質に影響を与えることになる。
【００９９】
そのため、調節部２０２４は、画質に影響を与えないか、又は画質に影響を与えても極軽微な状態となるように、該当するトナーカートリッジ１４５Ｙからのトナー供給量を減少させるよう調節する。画像形成装置Ａは、画像の形成位置や画像の濃度を所要の範囲内に維持して画質を保持するため、予め定められた非画像形成時に、各作像装置１０Ｙ，１０Ｍ，１０Ｃ，１０Ｋによって中間転写ベルト２１上に画質調整用のトナー像（以下、トナーパッチという。）を形成している。トナーカートリッジ１４５（Ｙ，Ｍ，Ｃ，Ｋ）内のトナーは、トナーパッチの形成によっても消費される。
【０１００】
そこで、調節部２０２４は、例えば、該当するトナーカートリッジ１４５Ｙのイエロー（Ｙ）色のトナーパッチを形成しないか、又はイエロー（Ｙ）色のトナーパッチの濃度を低下させるか、又はイエロー（Ｙ）色のトナーパッチの形成頻度を低下させることなどによって該当するイエロー（Ｙ）トナーカートリッジ１４５Ｙの交換時期を調節する。この調整動作は、必ずしも管理サーバー２０２の調節部２０２４が実行する必要はなく、対応する画像形成装置の制御部１０１が実行しても良い。この場合、管理サーバー２０２の調節部２０２４は、対応する画像形成装置の制御部１０１にイエロー（Ｙ）トナーカートリッジ１４５Ｙの使用量を調節する指令信号を送信すれば良い。
【０１０１】
また、この実施の形態では、図１２に示されるような交換消耗品選択リストにおいて、交換時期を一致させる画像形成装置Ａにおけるイエロー（Ｙ）のトナーカートリッジ１４５Ｙ及びシアン（Ｃ）のトナーカートリッジ１４５Ｃの交換日を指定する交換日指定機能を有している。
【０１０２】
この交換日の指定は、図１２に示されるような交換消耗品選択リストにおいて、指定交換日を入力することにより行う。この指定交換日は、図１４に示されるように、他の消耗品であるシアン（Ｃ）のトナーカートリッジ１４５Ｃの交換時期から交換予定消耗品であるトナーカートリッジ１４５Ｙの交換時期までの日数において指定することが可能である。
【０１０３】
ただし、画像形成装置Ａにおけるイエロー（Ｙ）のトナーカートリッジ１４５Ｙ及びシアン（Ｃ）のトナーカートリッジ１４５Ｃの使用状況によっては、一旦指定した指定交換日を変更する必要が生じる場合もある。そこで、指定部２０２３では、一旦指定した指定交換日を変更することが可能となっている。
【０１０４】
これに対して、消耗品が感光体ドラム１１や帯電ロール１２、あるいは用紙搬送ロール対３３等である場合には、図１３に示されるように、画像形成動作に伴って感光体ドラム１１や帯電ロール１２等が回転駆動されることにより、感光体ドラム１１の感光体層や帯電ロール１２の被覆層等が一定量ずつ摩耗するため、基本的に消耗度合いを調節することができない。
【０１０５】
そのため、消耗品が感光体ドラム１１や帯電ロール１２、あるいは用紙搬送ロール対３３等の使用量を調節することが不可能なものである場合には、図１３に示されるように、当該使用量を調節することが不可能な他の消耗品の交換時期に、交換予定消耗品である画像形成装置Ａのイエロー（Ｙ）のトナーカートリッジ１４５Ｙの使用量を調節するように制御される。
【０１０６】
＜消耗品管理システムの動作＞
以下、この消耗品管理システムを適用した画像形成装置の特徴部分の動作である消耗品の交換管理動作について説明する。
【０１０７】
まず、管理サーバー２０２は、図１５に示されるように、ネットワーク２０１を介して接続された複数の画像形成装置１１，１２，１３・・・から複数の消耗品の交換時期に関する情報（データ）を取得する（ステップ１０１）。
【０１０８】
そして、管理サーバー２０２の予測部２０２１は、ネットワーク２０１を介して接続された複数の画像形成装置１１，１２，１３・・・から送信されてくる複数の消耗品の交換時期に関する情報（データ）に基づいて、複数の消耗品の交換時期を予測する（ステップ１０２）。
【０１０９】
管理サーバー２０２の予測部２０２１は、予測された複数の消耗品の交換時期のうち、現在から予測された交換時期が予め定められた期間（例えば、５日）以内である消耗品が存在するか否かを判別する（ステップ１０３）。予測された交換時期が予め定められた期間以内である消耗品が存在しない場合には、ステップ１０１に戻る。
【０１１０】
次に、管理サーバー２０２の選択部２０２２は、予測部２０２１によって予測された複数の消耗品の交換時期に基づき、予測された交換時期が予め定められた期間以内であって最も近い消耗品である交換予定消耗品を特定し（ステップ１０４）、当該交換予定消耗品に対して交換時期を一致させる他の消耗品を選択する（ステップ１０６）。それに先立って、管理サーバー２０２の選択部２０２２は、予測部２０２１によって交換時期が予測された複数の消耗品を表示部２０２５及び操作表示部１０３に表示する（ステップ１０５）。
【０１１１】
ユーザは、図１２に示されるように、管理サーバー２０２の表示部２０２５及び操作表示部１０３に表示された消耗品のリストから、交換予定消耗品と交換時期を一致させる他の消耗品を選択する（ステップ１０５）。
【０１１２】
次に、ユーザは、管理サーバー２０２の指定部２０２３によって交換予定消耗品及び選択された他の消耗品の交換時期を指定する（ステップ１０７）。
【０１１３】
すると、管理サーバー２０２の調節部２０２４は、図１１に示されるように、交換予定消耗品である画像形成装置Ａのイエロー（Ｙ）のトナーカートリッジ１４５Ｙの使用量を調節する（ステップ１０８）。
【０１１４】
このとき、選択部２０２２は、予測された交換時期が予め定められた期間以内である交換予定消耗品に対し交換時期を一致させる他の消耗品が複数存在する場合には、これら複数の他の消耗品のすべてを自動的に選択しても良い。
【０１１５】
また、管理サーバー２０２の選択部２０２２は、図１２に示されるように、交換時期を一致させる他の消耗品が複数存在する場合には、これら複数の他の消耗品を表示部に表示して、ユーザーに選択させるように構成しても良い。ユーザが交換時期を一致させる他の消耗品を選択するように構成した場合、通常、ユーザは、複数の画像形成装置１１，１２，１３・・・のうちのいずれか１つ以上の画像形成装置１を操作するものであって、管理サーバー２０２を直接操作するものではない。
【０１１６】
そこで、ユーザが交換時期を一致させる他の消耗品を選択するように構成した場合には、図１２に示されるような交換消耗品選択リストを画像形成装置１の操作表示部１０３に表示して、ユーザに交換時期を一致させる他の消耗品の選択を促すように構成するのが望ましい。
【０１１７】
このように、この実施の形態に係る消耗品管理システムを適用した画像形成装置によれば、複数の消耗品としてのトナーカートリッジ１４５（Ｙ，Ｍ，Ｃ，Ｋ）や感光体ドラム１１等の交換時期を合わせることができる。
【０１１８】
なお、前記実施の形態では、管理サーバーが複数の画像形成装置の消耗品の交換時期を管理するように構成した場合について説明したが、これに限定されるものではなく、複数の画像形成装置の少なくとも１つ以上の画像形成装置が消耗品の交換時期を管理するように構成しても良い。
【０１１９】
また、前記実施の形態では、画像形成装置としてイエロー（Ｙ）、マゼンタ（Ｍ）、シアン（Ｃ）及びブラック（Ｋ）の４色のトナー像を形成するフルカラー画像形成装置について説明したが、モノクロの画像を形成する画像形成装置についても同様に適用できることは勿論である。
【符号の説明】
【０１２０】
１１，１２，１３…画像形成装置
１ａ…装置本体
１１…感光体ドラム
１４５…トナーカートリッジ
２００…消耗品管理システム
２０１…ネットワーク
２０２…管理サーバー
【図１】
2019055552.tif 000003
【図２】
2019055552.tif 000004
【図３】
2019055552.tif 000005
【図４】
2019055552.tif 000006
【図５】
2019055552.tif 000007
【図６】
2019055552.tif 000008
【図７】
2019055552.tif 000009
【図８】
2019055552.tif 000010
【図９】
2019055552.tif 000011
【図１０】
2019055552.tif 000012
【図１１】
2019055552.tif 000013
【図１２】
2019055552.tif 000014
【図１３】
2019055552.tif 000015
【図１４】
2019055552.tif 000016
【図１５】
2019055552.tif 000017